(57)【要約】      （修正有）【課題】枠組み足場との間に取り付けられる壁つなぎをコンクリート壁に支持するための簡単な構成からなる取付支持具を提供する。【解決手段】コンクリート壁の貫通孔に挿入される筒部本体２と、筒部本体の先端の開口側に螺合される第１棒ねじ部３と、第１棒ねじ部の先端に枢着される係止片４と、筒状本体の後端に突設された鍔部５と、鍔部で後端の開口側に螺合される第２棒ねじ部６と、第２棒ねじ部に螺合するナット状の螺合部材７と、鍔部と螺合部材との対峙する面にそれぞれ形成されて、螺合部材の回転で鍔部を介して筒部本体を連動させ、第１棒ねじに対して筒部本体を螺進退可能とする一対の係合構成部とからなることを特徴とする。【選択図】図１
0003193043.tif 000002
【実用新案登録請求の範囲】
【請求項１】
コンクリート壁の貫通孔に挿入されると共に、前後両端が開放された中空の内壁面にネジを刻設した筒部本体と、
該筒部本体の先端の開口側に螺合される第１棒ねじ部と、
該第１棒ねじ部の先端に枢着され、第１棒ねじ部の延長方向に枢動変位して前記コンクリート壁の外壁面側から貫通孔を通過し、直交方向に枢動変位して前記コンクリート壁の内壁面に掛止められる係止片と、
前記筒状本体の後端に突設された鍔部と、
前記鍔部で後端の開口側に螺合される第２棒ねじ部と、
該第２棒ねじ部に螺合するねじを貫通孔の内周面に有し、第２棒ねじ部に沿って螺進退可能な螺合部材と、
前記鍔部と螺合部材との対峙する面にそれぞれ形成されて、螺合部材の回転で鍔部を介して筒部本体を連動させ、第１棒ねじに対して筒部本体を螺進退可能とする一対の係合構成部とからなることを特徴とする壁つなぎの取付支持具。
【請求項２】
一対の係合構成部は、鍔部の外面側に突出する受側突部と、螺合部材の内面側に突出する係合突部とからなって、螺合部材の係合突部が鍔部の受側突部の側面に衝合しうることを特徴とする請求項１に記載の壁つなぎの取付支持具。
【請求項３】
螺合部材がナットからなっていることを特徴とする請求項１または２に記載の壁つなぎの取付支持具。
【考案の詳細な説明】
【技術分野】
【０００１】
この考案は枠組み足場との間に取り付けられる壁つなぎをコンクリート壁に支持するための取付支持具に関する。
【背景技術】
【０００２】
この種の壁つなぎの取付支持具として、例えば実公平２−１５９４８号では、所定の壁つなぎにネジ止め支持させる連結部と、プレキャストコンクリート壁表面に圧接する座金をネジ込むナットを装着したオネジ部とを有する連結ボルト本体を形成し、オネジ部先端に形成した二股部分に係止駒片を枢着して、この係止駒片にあっての枢着位置から各端部に至る夫々の区域の重量比が枢着位置を中心として不均等にすることで自重により鉛直方向に沿った位置で揺動停止されるようにし、かつ係止駒片のいずれか一方の端面を二股部分深奥面に当接させることで二股部分がオネジ部の軸方向と合致していることを特徴とする構成が知られている。
【０００３】
しかし、上記構成では、プレキャストコンクリート壁の装着孔に挿入した連結ボルトは、座金から先端のナット状の連結部までがコンクリート壁から外方に突出した状態で壁つなぎの先端が連結部に螺着される構成となっており、取付支持具がコンクリート壁から長く突出するので強度が必要とされ、また作業終了後には連結ボルトを装着孔から取り外す必要があり、煩雑な作業となっていた。
【先行技術文献】
【特許文献】
【０００４】
【特許文献１】実公平２−１５９４８号公報
【考案の概要】
【考案が解決しようとする課題】
【０００５】
この考案の解決しようとする問題点は、簡単な構成でコンクリート壁に取り付け、コンクリート壁から外方へ突出する部分を最小にして、足場支持用の壁つなぎと連結することができる取付支持具を提供することにある。
【課題を解決するための手段】
【０００６】
この考案は、上記問題点を解決するために、
コンクリート壁の貫通孔に挿入されると共に、前後両端が開放された中空の内壁面にネジを刻設した筒部本体と、
該筒部本体の先端の開口側に螺合される第１棒ねじ部と、
該第１棒ねじ部の先端に枢着され、第１棒ねじ部の延長方向に枢動変位して前記コンクリート壁の外壁面側から貫通孔を通過し、直交方向に枢動変位して前記コンクリート壁の内壁面に掛止められる係止片と、
前記筒状本体の後端に突設された鍔部と、
前記鍔部で後端の開口側に螺合される第２棒ねじ部と、
該第２棒ねじ部に螺合するねじを貫通孔の内周面に有し、第２棒ねじ部に沿って螺進退可能な螺合部材と、
前記鍔部と螺合部材との対峙する面にそれぞれ形成されて、螺合部材の回転で鍔部を介して筒部本体を連動させ、第１棒ねじに対して筒部本体を螺進退可能とする一対の係合構成部とからなることを特徴とする。
前記一対の係合構成部の一例は、鍔部の外面側に突出する受側突部と、螺合部材の内面側に突出する係合突部とからなって、螺合部材の係合突部が鍔部の受側突部の側面に衝合しうる構成からなる。
【考案の効果】
【０００７】
本考案の壁つなぎ用の取付支持具は、係止片を第１棒ねじ部と同じ向きに枢動変位して、コンクリート壁の外壁面側から貫通孔に通して内壁面側まで貫挿する。
内壁面側に突出した係止片は、自重により垂直姿勢に変位して前記内壁面に掛止めることができる。
次いで、螺合部材を回転させ、螺合部材と鍔部との一対の係合構成部を係合させて、螺合部材の回転により鍔部を介して筒部本体を第１棒ねじ部に沿って螺進させることで、取付支持具をコンクリート壁に固定する。
そして、第２棒ねじ部と螺合部材とを筒部本体から外し、代わりに、足場支持用の壁つなぎの先端を螺合して取り付けることができる。
壁つなぎを取り外した後は、コンクリート壁の外壁面に塗膜やシーリング材などを施工して補修するが、その際に、取付支持具は鍔部と一方の係合構成部のみが僅かに突出しているだけなので、そのままシーリング材などで塗りつぶすこともできる。
また、この考案の取付支持具は、金属に限らず合成樹脂材で成形することもできる。
【図面の簡単な説明】
【０００８】
【図１】取付支持具の斜視図である。
【図２】（ａ）は鍔部を後方から見た図、（ｂ）は同断面図、（ｃ）はナット状の螺合部材の前方から見た図、（ｄ）は同断面図である。
【図３】取付支持具の分解した状態の側面図である。
【図４】取付支持具をコンクリート壁に貫挿する状態の断面図である。
【図５】取付支持具の係止片をコンクリート壁の内壁面に係止し、螺合部材を螺進している状態の断面図である。
【図６】取付支持具をコンクリート壁に固定した状態の断面図である。
【図７】取付支持具から第２棒ねじ部を螺合部材と共に抜き取った状態の断面図である。
【図８】取付支持具に壁つなぎの先端の棒ねじを螺進している状態の断面図である。
【考案を実施するための形態】
【０００９】
以下に、この考案の壁つなぎの取付支持具について、簡単な構成で、コンクリート壁からの突出を最小に押さえて壁つなぎを支持することを実現した。
【実施例１】
【００１０】
図１から図３に示す取付支持具１は、貫通する中空２ａの内壁面に雌ねじが刻設された筒部本体２と、筒部本体２の先端の開口側に螺合された寸切りボルトの第１棒ねじ部３と、第１棒ねじ部３の先端に枢着される係止片４と、前記筒部本体２の後端に一体に形成された鍔部５と、前記筒部本体２の後端の開口側に螺合される寸切りボルトの第２棒ねじ部６と、該第２棒ねじ部６に螺合して螺進退可能なナット状の螺合部材７と、該螺合部材７と前記鍔部５とにそれぞれ形成されて連動可能に係止される一対の係合構成部１０（図２参照）とからなっている。
【００１１】
第１棒ねじ部３は、先端中央に溝３ａが形成されており、該溝３ａ内にプレート状の係止片４が挿入されており、該係止片４の中央より一方に偏心した位置で枢軸Ｐにより枢着されている。
係止片４は、その横幅が第１棒ねじ部３の直径とほぼ等しいか、それ以下に設定されており、左右の側壁面には三角形の切欠が複数形成されて爪部Ｃとなっている。
【００１２】
前記溝３ａは、枢軸Ｐの個所から係止片４の短い方の片４ａが挿入可能な長さで、長い方の片４ｂは挿入できない長さに設定されている。
これにより、係止片４を枢動し、係止片４の短い方の片４ａを溝３ａに挿入することで、係止片４は第１棒ねじ部３の軸線に沿って延出方向に沿って傾倒させることができる。
【００１３】
これにより係止片４の長い方の片４ｂは、第１棒ねじ部３の延長方向前方になるので、後述のコンクリート壁１５の貫通孔１６に取付支持具１を挿入した際に、先にコンクリート壁１５の内壁面１７側に抜け出て、自重により係止片４の長い方の片４ｂを内壁面１７に沿った垂直姿勢に枢動させることができる（図４参照）。
【００１４】
この考案では、係止片４の枢着位置を偏心させて、常に、長い方の片４ｂが下に枢動するようにしたが、枢着位置を中央にし、一方に重りを設け、重りを有する片を先端に向けて、自重により垂直に変位させる構成としてもよい。
その他、係止片４の形状や溝部３ａの形状などは、この種の取付支持具の公知の形状としてもよい。
【００１５】
筒部本体２は、中空の内周面の前後に亘って全面に雌ねじが刻設されているが、この考案では、少なくとも筒部本体２が第１棒ねじ部３に沿って螺進する長さに対応して筒部本体２の前後にそれぞれ雌ねじが刻設されているものでもよい。
また、筒部本体２の長さは、コンクリート壁１５に形成される貫通孔１６の長さ以下の長さに設定される必要がある。
上記長さを超えると、係止片４と鍔部５とでコンクリート壁１５を挟圧して取付支持具１を固定することができないからである。
【００１６】
上記筒部本体２の後端には鍔部５が一体に形成されている（図２（ａ）（ｂ）参照）。
即ち、鍔部５は水平に延びる筒部本体２の後端で垂直に延びており、図示例では円板状からなり、その中央に中空２ａの後端の開口５ａが配置される。
鍔部５の形状は、板状であれば、円形状に限らず矩形や楕円形、その他、任意の形状とすることができる。
そして、鍔部５の後方の面には、一方の係合構成部１０となる受側突部１２が前記後端の開口５ａの縁部近傍に沿って複数（図示例では２つ）突設されている。
【００１７】
次に、第２棒ねじ部６は、第１棒ねじ部３と同じ径で、先端側が鍔部５の開口５ａから挿入されて中空２ａ内に所定長さ螺合している。
該第２棒ねじ部６には、螺合部材７が螺合している、
【００１８】
螺合部材７は、中央に第２棒ねじ部６と螺合して螺進退可能なねじ穴７ａを有している。本実施例では、ナット形状からなっており、第２棒ねじ部６に沿って螺進退自在に螺着している。
この螺合部材７の先端面側、即ち、鍔部５と対向する側の壁面には、前記鍔部５に形成された一方の係合構成部、本実施例では受側突部１２と対になる係合突部１１が先端に向かって突設されている（図２（ｃ）（ｄ）参照）。
この係合突部１１は、螺合部材７を第２棒ねじ部６に沿って回転させた場合に、前記鍔部５の受側突部１２と係合するように配置されている。
図示例では、受側突部１２も係合突部１１もそれぞれの軸心から等しく離間した長さで配置されている。
【００１９】
従って、螺合部材７と鍔部５とが離間していても、螺合部材７を第２棒ねじ部６に沿って回して螺進させ、係合突部１１の側壁面を受側突部１２の側壁面に衝合させる。
その状態で、更に、螺合部材７を回すと、受側突部１２を介して鍔部５および筒部本体２が螺合部材７に連動して回転し、筒部本体２は第１棒ねじ部３に沿って先端側に螺進するので、鍔部５と係止片４との間隔を縮めることができ（図５参照）、コンクリート壁１５の内壁面１７に掛け止められた係止片４と、外壁面１８に押しつけられた鍔部５とによってコンクリート壁１５を挟圧し、その反力により取付支持具１がコンクリート壁１５に固定される（図６参照）。
【００２０】
次に、螺合部材７と第２棒ねじ部６を筒部本体２から螺退動させて、抜き取ることで、コンクリート壁１５の外壁面１８には中空２ａの後端の開口５ａを有する鍔部５が表れた状態となる（図７参照）。
そこで、上記開口５ａには、足場支持用の壁つなぎ（図示省略）の先端の棒ねじ部２０を挿入し、螺合することで、コンクリート壁１５に固定された筒部本体２に壁つなぎを固定させ、支持することができる（図８参照）。
【００２１】
足場作業が終了し、壁つなぎが取り外されると、これを支持していた個所の補修が行われる。
本実施例では、コンクリート壁１５の外壁面１８から突出する部分は、鍔部５のみであり外壁面１８からの突出量はわずかである。
そこで、上記鍔部５は、塗膜やシーリング材などで塗りつぶすことができ、コンクリート壁１５から引き抜く必要がない。
【００２２】
上記実施例では、螺合部材としてナット状の部材を用いた場合を例示したが、中央に雌ねじを刻設した穴を有するものであればよく、例えば、外周壁に手指を掛け止めて螺合部材を回転できるようにしたグリップ部やハンドル部を設けたものでもよい。
また、取付支持具は、金属製であれば所定の強度を有することができるが、この考案では、その素材は特に限定されるものではなく、その全部または一部が金属製、または合成樹脂製であってもよい。
【００２３】
前記一対の係合構成部は、いずれも突部からなる形状を例示したが、一方が突部で他方がこれと係合する凹部であってもよく、その他、係脱可能な公知の一対の係合構成部を用いることができる。
【００２４】
また、この考案では、コンクリート壁はＡＬＣであっても本考案の取付支持具を用いることができ、コンクリートの種類はその他のものでもよく、特に限定されない。
その他、この考案は前記実施例に限定されるものではなく、要するにこの考案の要旨を変更しない範囲で種々設計変更することができる。
【符号の説明】
【００２５】
１    取付支持具
２    筒部本体
５    鍔部
２ａ  中空
３    第１棒ねじ部
４    係止片
６    第２棒ねじ部
７    螺合部材
１０    一対の係合構成部
１１    係合突部
１２    受側突部
１５    コンクリート壁
１６    貫通孔
１７    内壁面
１８    外壁面
２０    壁つなぎの棒ねじ部
【図１】
0003193043.tif 000003
【図２】
0003193043.tif 000004
【図３】
0003193043.tif 000005
【図４】
0003193043.tif 000006
【図５】
0003193043.tif 000007
【図６】
0003193043.tif 000008
【図７】
0003193043.tif 000009
【図８】
0003193043.tif 000010